(57)【要約】【課題】物品をクリップ本体と筆記具本体との間に容易に挿入する。【解決手段】クリップ３は、ボールペン本体１に取り付けられたクリップ本体４と、クリップ本体４に取り付けられた玉部８とを具備する。玉部８をクリップ本体４と別個に形成すると共に、クリップ本体４の長手軸線Ｌ−Ｌ方向に対しほぼ垂直な回転軸線Ｊ−Ｊ回りに回転可能にクリップ本体４に取り付ける。回転軸線Ｊ−Ｊよりも前方の玉部８に前方押さえ部８ａを設けると共に、回転軸線Ｊ−Ｊよりも後方の玉部８に後方押さえ部８ｂを設ける。クリップ３が開けられるにつれて、前方押さえ部８ａがボールペン本体１から離れるように玉部８がクリップ本体４に対し相対回転する。その結果、クリップ３の開口を大きくすることができる。【選択図】図１
2008073950.tif 000002
【特許請求の範囲】
【請求項１】
筆記具筒体に取り付けられたクリップ本体と、該クリップ本体に取り付けられた玉部とを具備し、該玉部と筆記具筒体との間に物品が保持されるようになっている筆記具用クリップにおいて、玉部をクリップ本体と別個に形成し、クリップが開けられるにつれて玉部がクリップ本体に対し相対回転して玉部の前方部が筆記具筒体から離れるように、玉部をクリップ本体に取り付けた筆記具用クリップ。
【請求項２】
玉部をクリップ本体の長手軸線方向に対しほぼ垂直な回転軸線回りに回転可能にクリップ本体に取り付け、該回転軸線よりも前方の玉部に前方押さえ部を設けると共に該回転軸線よりも後方の玉部に後方押さえ部を設け、クリップが開けられるにつれて前方押さえ部が筆記具筒体から離れるように回転すると共に、物品を保持するときに、玉部がクリップ本体に対し相対回転してこれら前方押さえ部及び後方押さえ部が物品に当接できるようにした請求項１に記載の筆記具用クリップ。
【請求項３】
クリップが開けられるにつれて玉部が自重でもってクリップ本体に対し相対回転するように玉部をクリップ本体に取り付けた請求項１又は２に記載の筆記具用クリップ。
【請求項４】
玉部の周囲が少なくとも部分的にクリップ本体により囲われるように玉部をクリップ本体に取り付けた請求項１から３までのいずれか一項に記載の筆記具用クリップ。
【請求項５】
クリップ本体に対する玉部の回転を制限する制限部分を備えている請求項１から４までのいずれか一項に記載の筆記具用クリップ。
【請求項６】
連結部を介してクリップ本体を筆記具筒体に揺動可能に連結し、該連結部よりも前方のクリップ本体に玉部を取り付けると共に、該連結部よりも後方のクリップ本体に操作部を形成し、玉部を筆記具筒体に向け付勢する手段を設けた請求項１から５までのいずれか一項に記載の筆記具用クリップ。
【請求項７】
クリップ本体に形成されたクリップ側連結部と、筆記具筒体に形成された筆記具側連結部とのうちいずれか一方を軸体から構成すると共に他方を受容孔から構成し、該軸体を該受容孔内に受容することによりクリップ本体を筆記具筒体に揺動可能に連結し、受容孔を軸体よりも大きく寸法設定してクリップ本体が筆記具筒体に連結されたまま筆記具筒体に対し相対移動できるようにした請求項６に記載の筆記具用クリップ。
【請求項８】
筆記具筒体に取り付けられたクリップ本体と、該クリップ本体に取り付けられた玉部とを具備し、該玉部と筆記具筒体との間に物品が保持されるようになっている筆記具用クリップにおいて、玉部をクリップ本体と別個に形成すると共に、クリップ本体の長手軸線方向に対しほぼ垂直な回転軸線回りに回転可能にクリップ本体に取り付け、該回転軸線よりも前方の玉部に前方押さえ部を設けると共に該回転軸線よりも後方の玉部に後方押さえ部を設け、物品を保持するときに、玉部がクリップ本体に対し相対回転してこれら前方押さえ部及び後方押さえ部が物品に当接できるようにした筆記具用クリップ。
【発明の詳細な説明】
【技術分野】
【０００１】
本発明は筆記具用クリップに関する。
【背景技術】
【０００２】
筆記具筒体に取り付けられたクリップ本体と、クリップ本体に取り付けられた玉部とを具備し、玉部をクリップ本体と別個に形成し、玉部をクリップ本体に対し相対回転可能にクリップ本体に取り付けたボールペン用クリップが公知である（特許文献１参照）。このクリップでは、ノック式ボールペンのリフィルの係合部が玉部に係合可能になっており、係合部と玉部との係合及び離脱を制御するために玉部がクリップ本体に対し相対回転できるようになっている。
【０００３】
【特許文献１】実公平５−３８７号公報
【発明の開示】
【発明が解決しようとする課題】
【０００４】
しかしながら、上述のクリップでは、クリップが開けられるにつれて玉部の前方部がボールペン本体に近づくように回転する。その結果、クリップ本体とボールペン本体との間の開口が小さくなるので、物品をクリップ本体とボールペン本体との間に導入するのが困難になるという問題点がある。物品の厚さが大きいときには、このことは特に問題となる。
【課題を解決するための手段】
【０００５】
１番目の発明によれば、筆記具筒体に取り付けられたクリップ本体と、該クリップ本体に取り付けられた玉部とを具備し、該玉部と筆記具筒体との間に物品が保持されるようになっている筆記具用クリップにおいて、玉部をクリップ本体と別個に形成し、クリップが開けられるにつれて玉部がクリップ本体に対し相対回転して玉部の前方部が筆記具筒体から離れるように、玉部をクリップ本体に取り付けている。
【０００６】
また、２番目の発明によれば１番目の発明において、玉部をクリップ本体の長手軸線方向に対しほぼ垂直な回転軸線回りに回転可能にクリップ本体に取り付け、該回転軸線よりも前方の玉部に前方押さえ部を設けると共に該回転軸線よりも後方の玉部に後方押さえ部を設け、クリップが開けられるにつれて前方押さえ部が筆記具筒体から離れるように回転すると共に、物品を保持するときに、玉部がクリップ本体に対し相対回転してこれら前方押さえ部及び後方押さえ部が物品に当接できるようにしている。
【０００７】
また、３番目の発明によれば１又は２番目の発明において、クリップが開けられるにつれて玉部が自重でもってクリップ本体に対し相対回転するように玉部をクリップ本体に取り付けている。
【０００８】
また、４番目の発明によれば１から３番目の発明のいずれか一つにおいて、玉部の周囲が少なくとも部分的にクリップ本体により囲われるように玉部をクリップ本体に取り付けている。
【０００９】
また、５番目の発明によれば１から４番目の発明のいずれか一つにおいて、クリップ本体に対する玉部の回転を制限する制限部分を備えている。
【００１０】
また、６番目の発明によれば１から５番目の発明のいずれか一つにおいて、連結部を介してクリップ本体を筆記具筒体に揺動可能に連結し、該連結部よりも前方のクリップ本体に玉部を取り付けると共に、該連結部よりも後方のクリップ本体に操作部を形成し、玉部を筆記具筒体に向け付勢する手段を設けている。
【００１１】
また、７番目の発明によれば６番目の発明において、クリップ本体に形成されたクリップ側連結部と、筆記具筒体に形成された筆記具側連結部とのうちいずれか一方を軸体から構成すると共に他方を受容孔から構成し、該軸体を該受容孔内に受容することによりクリップ本体を筆記具筒体に揺動可能に連結し、受容孔を軸体よりも大きく寸法設定してクリップ本体が筆記具筒体に連結されたまま筆記具筒体に対し相対移動できるようにしている。
【００１２】
また、８番目の発明によれば、筆記具筒体に取り付けられたクリップ本体と、該クリップ本体に取り付けられた玉部とを具備し、該玉部と筆記具筒体との間に物品が保持されるようになっている筆記具用クリップにおいて、玉部をクリップ本体と別個に形成すると共に、クリップ本体の長手軸線方向に対しほぼ垂直な回転軸線回りに回転可能にクリップ本体に取り付け、該回転軸線よりも前方の玉部に前方押さえ部を設けると共に該回転軸線よりも後方の玉部に後方押さえ部を設け、物品を保持するときに、玉部がクリップ本体に対し相対回転してこれら前方押さえ部及び後方押さえ部が物品に当接できるようにしている。
【００１３】
なお、筆記具筒体は例えば筆記具本体又はキャップから構成することができる。本明細書では、筆記具本体の先端側又はキャップの開口端側を前方と考え、筆記具本体の末端又はキャップの閉塞端側を後方と考えている。
【発明の効果】
【００１４】
物品をクリップ本体と筆記具本体との間に容易に挿入することができる。
【発明を実施するための最良の形態】
【００１５】
以下では、本発明をボールペンに適用した場合を説明する。しかしながら本発明を他の筆記具に適用することもできる。
【００１６】
図１から図４までを参照すると、１は例えば合成樹脂から形成された多色ボールペン本体を、２はボールペン本体１の後端に設けられたノック部材を、それぞれ示す。ノック部材２がユーザにより押し下げられると、対応するインク収容管のペン先がボールペン本体１の前端から突出されて使用可能となる。なお、線Ｌ−Ｌはボールペン本体１の長手軸線ないし中心軸線を示している。
【００１７】
ボールペン本体１の後端部にはクリップ３が設けられている。クリップ３は例えば合成樹脂製のクリップ本体４を具備し、このクリップ本体４は連結部５を介してボールペン本体１に取り付けられる。
【００１８】
具体的に説明すると、特に図３に示されるように、クリップ本体４はほぼ中央部及び後方部において一対の側壁４ａとこれら側壁４ａを接続する頂壁４ｂとを備えた断面コ字状をなしており、これら側壁４ａにそれぞれ受容孔４ｃが形成されている。なお、クリップ本体４の長手軸線はボールペン本体１の長手軸線Ｌ−Ｌと平行に延びている。一方、ボールペン本体１の外面には凸状部６が一体的に形成されている。この凸状部６はその両側面に形成された一対の軸体６ａと、これら一対の軸体６ａ間を長手軸線方向に延びかつボールペン本体１の外側に向けて開口する凹溝６ｂとを備えている。なお、図２においてＫ−Ｋは軸体６ａの中心軸線を示している。
【００１９】
クリップ本体４は側壁４ａ及び頂壁４ｂにより画定される内部空間内に凸状部６を収容できるよう寸法設定されており、したがってクリップ本体４を凸状部６上に被せて一対の軸体６ａを受容孔４ｃ内に受容させることにより、クリップ本体４が凸状部６すなわちボールペン本体１に、軸線Ｋ−Ｋ回りに揺動可能に連結される。
【００２０】
クリップ本体４の受容孔４ｃは凸状部６の軸体６ａの直径よりも大きく寸法設定されている。本発明による実施例では、受容孔４ｃはその長手軸線がボールペン本体１の中心軸線Ｌ−Ｌを横切る方向に延びる長円形状をなしている。その結果、軸体６ａが受容孔４ｃ内に受容されたまま、すなわちクリップ本体４がボールペン本体１に連結されたまま、クリップ本体４が受容孔４ｃに沿ってボールペン本体１に対し相対移動することができる。
【００２１】
当然、ボールペン本体１ないし凸状部６に受容孔を形成し、クリップ本体４に軸体を形成してもよい。したがって、概念的に言うと、クリップ本体に形成されたクリップ側連結部と、筆記具筒体に形成された筆記具側連結部とのうちいずれか一方を軸体から構成すると共に他方を受容孔から構成し、軸体を受容孔内に受容することによりクリップ本体を筆記具筒体に揺動可能に連結しているということになる。
【００２２】
クリップ３は更に、例えば金属製のバネ７を具備する。本発明による実施例ではこのバネ７は、前側に向け開口するＵ字形状の単一の板バネから構成されている。板バネ７の一端７ａは凸状部６の後側に形成された、後ろ向きに開口する挿入孔６ｃ内に固定される。すなわち、凸状部６の挿入孔６ｃの断面は板バネ７の後端６ａの断面とほぼ同じかこれよりもわずかに小さくなるよう寸法設定されており、したがって板バネ７の一端７ａはボールペン本体１に対して移動不能になっている。もっとも、例えば交換のために板バネ７をボールペン本体１から取り外せるようにしてもよい。これに対し、板バネ７の他端７ｂはクリップ本体４に形成された、後ろ向きに開口する挿入孔４ｄ内に摺動可能に収容される。すなわち、クリップ本体４の挿入孔４ｄは軸線方向、幅方向及び厚さ方向に関して板バネ７の他端７ｂよりも大きく寸法設定されており、したがって板バネ７の他端７ｂはクリップ本体４に対し相対移動可能になっている。この場合、特に図３に示されるように、板バネ７は一端７ａないしボールペン本体１から、凸状部６の凹溝６ｂ内を、連結部５を越えて前方に延び、他端７ｂないしクリップ本体４に到る。
【００２３】
連結部５よりも後方のクリップ本体４には操作部４ｅが一体的に形成される。一方、連結部５よりも前方のクリップ本体４には、クリップ本体４と別個に形成された例えば合成樹脂製の玉部８が取り付けられる。すなわち、連結部５よりも前方のクリップ本体４には長円形状の貫通孔４ｆが形成されており、この貫通孔４ｆ内に玉部８が収容される。その上で、玉部８はピン９により取り付けられ、斯くして玉部８はクリップ本体４の長手軸線方向に対しほぼ垂直な回転軸線Ｊ−Ｊ回りに、クリップ本体４に対し相対回転可能になっている。なお、本発明による実施例では、ピン９はクリップ本体４及び玉部８と別個であるけれども、クリップ本体４又は玉部８と一体的に形成することもできる。
【００２４】
ピン９よりも前方の玉部８には前方押さえ部８ａが一体的に形成され、ピン９よりも後方の玉部８には後方押さえ部８ｂが一体的に形成される。言い換えると、玉部８には長手方向に離間して一対の押さえ部８ａ，８ｂが形成される。本発明による実施例では、特に図４に示されるように、前方押さえ部８ａは横方向に互いに離間した一対の凸部８ａａ，８ａｂから構成され、後方押さえ部８ｂは横方向に互いに離間した一対の凸部８ｂａ，８ｂｂから構成される。当然、前方押さえ部８ａ又は後方押さえ部８ｂを単一の凸部から構成することもできる。あるいは、図９に示されるように、玉部８に単一の凸部を形成し、この凸部のピン９よりも前方部を前方押さえ部８ａとし、凸部のピン９よりも後方部を後方押さえ部８ｂとすることもできる。
【００２５】
また、前方押さえ部８ａの両側には突起８ａｃが一体的に形成され、後方押さえ部８ｂの両側には突起８ｂｃが一体的に形成される。詳しくは後述するが、これら突起８ａｃ，８ｂｃはクリップ本体４に当接してクリップ本体４に対する玉部８の回転を制限する制限部分を構成している。
【００２６】
なお、本発明による実施例では、玉部８をクリップ本体４に対し付勢するバネ等が設けられていない。したがって、突起８ａｃ，８ｂｃがクリップ本体４に係合しない限り、玉部８はクリップ本体４に対し自由に相対回転可能になっている。
【００２７】
上述したように、クリップ本体４は軸体６ａ回りに揺動することもできるし、受容孔４ｃに沿ってボールペン本体１に対し相対移動することもできる。ここで、クリップ本体４の揺動量及び相対移動量がゼロであるときのクリップ本体４のボールペン本体１に対する位置を初期位置と称すると、板バネ７はクリップ本体４を初期位置に向けて付勢する。クリップ本体４がこの初期位置にあるときには図１から図４に示されるように、玉部８の前方押さえ部８ａ及び後方押さえ部８ｂがボールペン本体１に当接しつつ、軸体６ａが受容孔４ｃの頂縁４ｃａに当接している。この初期位置では、図１（Ｃ）からわかるように、玉部８の頂面８ｃはクリップ本体４の頂面４ｂとほぼ面一になっている。したがって、玉部８によって、外観が損なわれたり、操作の障害となりうる凹凸がクリップ３外面に形成されたりするのが阻止されている。
【００２８】
次に、ボールペン本体１がほぼ水平でありかつクリップ本体４がボールペン本体１に対し上側にある場合のクリップ３の物品保持作用を、図５を参照しながら説明する。
【００２９】
クリップ３に書類や衣類などの物品Ａを挟んで保持すべきときには、図５（Ａ）に矢印Ｘで示されるようにユーザにより操作部４ｅがボールペン本体１に向けて押し下げられる。その結果、図５（Ｂ）に示されるように、軸体６ａが受容孔４ｃの頂縁４ｃａに当接しつつクリップ本体４が軸体６ａの中心軸線Ｋ−Ｋ（図３）回りに揺動し、クリップ３が開けられる。クリップ３が開けられるにつれて、玉部８が自重でもってクリップ本体４に対し相対回転し、前方押さえ部８ａがボールペン本体１から離れるように又はクリップ本体４に対し引っ込むように、クリップ本体４に対し移動する。この場合、本発明による実施例では、クリップ３が開けられるにつれて、前方押さえ部８ａのクリップ本体４に対する移動量は大きくなる。その結果、クリップ３が開けられたときに形成される開口３ａを、玉部８がクリップ本体４に対し相対移動できない場合に比べて大きくすることができる。したがって、クリップ３自体の寸法を小さく維持しつつ、あるいはクリップ本体４を大きく拡開させることなく、厚さの大きい物品Ａを開口３ａ内に容易に挿入することが可能となる。
【００３０】
この点、クリップ３が開けられるにつれて玉部８がクリップ本体４に対し自重でもって相対回転するように、玉部８の重心に対するピン９ないし回転軸線Ｊ−Ｊの位置が設定されているということになる。
【００３１】
次いで、この開口３ａ内に物品Ａが挿入されたのち操作部４ｅに印加されていた力が除去されると、クリップ本体４が板バネ７により初期位置に戻ろうとし、その結果図５（Ｃ）に示されるように物品Ａが玉部８とボールペン本体１との間に保持される。この場合、今度は、前方押さえ部８ａがクリップ本体４に対し突出し、後方押さえ部８ｂがクリップ本体４に対し引っ込むように、玉部８がクリップ本体に４に対し相対回転する。その結果、前方押さえ部８ａ及び後方押さえ部８ｂ双方が物品Ａに当接し、したがって物品Ａを確実に保持できるようになる。この場合、前方押さえ部８ａ及び後方押さえ部８ｂが横方向に互いに離間された複数の凸部８ａａ，８ａｂ，８ｂａ，８ｂｂから構成されているので、物品Ａを横方向に関し複数位置で保持することができ、この点でも物品Ａを確実に保持できる。
【００３２】
また、このように玉部８がクリップ本体４に対し相対回転するので、玉部８から物品Ａに印加される保持力のうち、ボールペン本体１の長手軸線Ｌ−Ｌに対しほぼ垂直方向の力成分（以下、垂直方向力という。）を、玉部８がクリップ本体４に対し相対回転できない場合に比べて、大きくすることができる。これによっても、物品Ａを確実に保持することができる。
【００３３】
ここで、玉部８は物品Ａの厚さに応じてクリップ本体４に対し相対回転し、前方押さえ部８ａ及び後方押さえ部８ｂ双方が物品Ａに当接する。言い換えると、玉部８は、前方押さえ部８ａ及び後方押さえ部８ｂ双方が物品Ａに当接する位置までクリップ本体４に対し相対回転し、大きな垂直方向力を物品Ａに印加する。したがって、様々な厚さの物品Ａを確実に保持することが可能となる。
【００３４】
このように、本発明による実施例では、玉部８がクリップ本体４に対し相対回転できない従来の場合に比べて、物品Ａに印加される垂直方向力を大きくすることができ、板バネ７のバネ力を物品保持のために有効に利用できる。したがって、従来の場合と同等の垂直方向力を得るために、従来の場合よりも板バネ７のバネ力を小さくすることができ、物品Ａをクリップ３に挟みやすくなる。
【００３５】
図６は物品Ａの厚さがさらに大きい場合を示している。この場合、軸体６ａが受容孔４ｃ内を移動し受容孔４ｃの底縁４ｃｂに当接するよう、クリップ本体４がボールペン本体１に対し相対移動し、その結果クリップ本体４とボールペン本体１間の開口３ａがさらに大きくなる。これにより、さらに厚い物品Ａをも確実に保持できる。なお、図６に示される例では、後方押さえ部８ｂの突起８ｂｃがクリップ本体４に係合して玉部８の回転が制限されており、その結果前方押さえ部８ａが物品Ａに当接していない。しかしながら、このような場合でも、後方押さえ部８ｂから物品Ａに大きな垂直方向力が印加されており、したがって物品Ａを確実に保持することができる。
【００３６】
一方、物品Ａがクリップ３から除去されると、板バネ７のバネ力によってクリップ本体４は初期位置に戻され、このとき玉部８ａの押さえ部８ａ，８ｂはボールペン本体１に当接する。
【００３７】
クリップ３が開けられるとき、特に図５（Ｂ）に示されるように、後方押さえ部８ｂはボールペン本体１に当接しており、これによってクリップ本体４に対する玉部８の相対回転が制限されている。これに対し、図７（Ａ）及び（Ｂ）に示されるようにクリップ３が大きく開けられると、後方押さえ部８ｂがボールペン本体１に当接しなくなると、前方押さえ部８ａの突起８ａｃがクリップ本体４に当接し、玉部８の相対回転を制限する。その結果、次いでクリップ３が閉じられたときに玉部８が反転し押さえ部８ａ，８ｂがボールペン本体１に当接しなくなるのを阻止することができる。
【００３８】
一方、ボールペン本体１がほぼ水平でありかつクリップ本体４がボールペン本体１に対し下側にある場合にクリップ３が開けられると、図８（Ａ）及び（Ｂ）に示されるように、後方押さえ部８ｂの突起８ｂｃがクリップ本体４に当接し、クリップ本体４に対する玉部８の相対回転を制限する。この場合にも、玉部８がクリップ本体４に対し反転するのが阻止される。
【００３９】
これまで説明した本発明による実施例では、玉部８はクリップ本体４の貫通孔４ｆ内に収容され、したがって玉部８の全周がクリップ本体４に囲われている。このようにすると、玉部８に外力が直接作用しにくくなり、玉部８の破損を抑制できる。しかしながら、玉部８の周囲が少なくとも部分的にクリップ本体４により囲われるように玉部８をクリップ本体４に取り付けるようにしてもよい。図１０（Ａ）及び（Ｂ）に示される例では、玉部８の前方部がクリップ本体４から露出しており、玉部８の後方部がクリップ本体４に囲われている。
【００４０】
また、これまで説明した本発明による実施例では、バネ７は前側に向け開口するＵ字形状の単一の板バネから構成されている。しかしながら、バネ７を例えば後側に向け開口するＵ字形状の単一の板バネから構成することもできる。この場合、板バネの一端を凸状部６よりも後側のボールペン本体１に固定し、板バネの他端を操作部４ｅ周りのクリップ本体４に相対移動可能に取り付けることができる。
【００４１】
また、これまで説明した本発明による実施例では、突起８ａｃ，８ｂｃがクリップ本体４に係合しない限り、玉部８はクリップ本体４に対し自由に相対回転可能になっている。しかしながら、例えばクリップ本体４の貫通孔４ｆ内周面と玉部８外周面との間に摩擦が生ずるようにこれら貫通孔４ｆ及び玉部８を寸法設定し、それによって、単にクリップ３が開けられただけでは玉部８がクリップ本体４に相対回転せず、物品を把持するときに玉部８がクリップ本体４に対し相対回転するようにすることもできる。このようにしても、玉部８は物品の厚さ又は形状に応じた量だけ相対回転するので、大きな垂直方向力を物品に印加することができる。
【００４２】
さらに、クリップ本体４及び玉部８の一方又は双方に、メッキ、ダイヤカット等の装飾処理を施すこともできる。
【図面の簡単な説明】
【００４３】
【図１】クリップを備えたボールペンの（Ａ）上面図、（Ｂ）側面図、及び（Ｃ）端面図である。
【図２】クリップを備えたボールペンの部分断面図である。
【図３】図１（Ｂ）の線ＩＩＩ−ＩＩＩに沿った断面図である。
【図４】玉部の底面斜視図である。
【図５】本発明による実施例を説明するためのクリップの側面図である。
【図６】本発明による実施例を説明するためのクリップの側面図である。
【図７】本発明による実施例を説明するためのクリップの（Ａ）側面図及び（Ｂ）部分拡大斜視図である。
【図８】本発明による実施例を説明するためのクリップの（Ａ）側面図及び（Ｂ）部分拡大斜視図である。
【図９】本発明による別の実施例のクリップの部分側面図である。
【図１０】本発明による別の実施例のクリップの（Ａ）上面図及び（Ｂ）側面図である。
【符号の説明】
【００４４】
１    ボールペン本体
３    クリップ
４    クリップ本体
８    玉部
８ａ    前方押さえ部
８ｂ    後方押さえ部
９    ピン
【図１】
2008073950.tif 000003
【図２】
2008073950.tif 000004
【図３】
2008073950.tif 000005
【図４】
2008073950.tif 000006
【図５】
2008073950.tif 000007
【図６】
2008073950.tif 000008
【図７】
2008073950.tif 000009
【図８】
2008073950.tif 000010
【図９】
2008073950.tif 000011
【図１０】
2008073950.tif 000012